(57)【要約】本発明は、シリンジバレルと、前記シリンジバレルの基端部に接続されたリング（６）とを備えるシリンジに関する。本発明によると、前記リング（６）は、それらの間で前記シリンジバレルを受けて保持するように意図された、２つの対角線上に対向する保持部品（４７）を備える。各保持部品（４７）は、フォークの形状である、すなわち、一対のアーム（５５）と、前記アーム（５５）を前記リング（６）に接続する接続体（５６）とを備える。各保持部品（４７）のアーム（５５）の形状は、前記アームが前記シリンジバレルを部分的に包囲することができるようにされている。また、前記アーム（５５）は、異なる外径を有するシリンジバレル（２）をそれらの間で受け、把持するために前記アームが弾性的に変形することができるように、ある程度の弾性的な可撓性を有する材料でできている。
2004524907.tif 000002
【特許請求の範囲】
【請求項１】
シリンジ本体（２）と、シリンジ本体（２）とその基端部で接続されたリング（６）とを備えるシリンジまたは類似の装置であって、
前記シリンジ本体（２）を受けて、その間で保持するように意図された２つのホルダ部品（４７）を有するリング（６）であって、各ホルダ部品（４７）は、フォーク型の形状を有する、すなわち、１対のアーム（５５）と、これらのアーム（５５）を前記リング（６）と接続する接続体（５６）とを有し、各ホルダ部品（４７）の前記アーム（５５）は、前記シリンジ本体（２）を部分的に閉鎖することができるように形成されているリング（６）を具え、
前記アーム（５５）は、異なる外径のシリンジ本体（２）をそれらの間で受けて、しっかりと把持することができるように弾性変形することができるような、ある程度の弾性的な可撓性を有する材料で作られていることを特徴とするシリンジまたは類似の装置。
【請求項２】
前記ホルダ部品（４７）は、直径方向に対向することを特徴とする請求項１に記載のシリンジ。
【請求項３】
ホルダ部品（４７）のアーム（５５）はそれぞれ、半径方向内向きに突き出した少なくとも１つのボス（５８）を備えることを特徴とする請求項１または２に記載のシリンジ。
【請求項４】
ベベル（５７）が、それを介してシリンジ本体（２）がこのリング（６）を通って導入されるように意図された、前記リング（６）の側面上の前記アーム（５５）内に配置されることを特徴とする請求項１から３のいずれかに記載のシリンジ。
【請求項５】
前記シリンジ本体（２）の周囲に係合された保護ケーシング（５）を備え、このケーシング（５）およびこの本体（２）は、前記シリンジの針（１１）が露出された前記シリンジ（１）の使用位置と、使用後、刺傷や切傷などの、想定される使用者の感染からのいかなる危険性も防止するように、前記ケーシング（５）によってこの針（１１）が包囲された安全位置との間を相互に移動可能であり、前記保護ケーシング（５）は、少なくとも１つの長手方向スロットすなわち切欠（３２）を備え、
前記リング（６）は、前記本体（２）および前記ケーシング（５）を互いに対して前記使用位置と安全位置の間に配置する手段を形成し、この目的のために、前記リングは、前記ホルダ部品（４７）と、少なくとも１つの支持部品（４５）とを備え、前記スロットまたは切欠（３２）を通って係合され、前記保護ケーシング（５）の上に突き出した、使用者の手の人差指と中指を支持する働きをする前記保護ケーシング（５）の内部に収容された部品を有し、
前記シリンジ（１）のプランジャロッド（４）は、２つの入れ子式部品（１５、１６）を備え、そのうちの一方である、末端側の部品が、前記シリンジのプランジャ（３）に接続され、そのうちの他方である、基部側の部品が、使用者の親指のための支持部品を形成している頭部（１７）を有し、
少なくとも１つの破壊可能なブリッジ（２０）は、前記プランジャロッド（４）の前記２つの入れ子式部品（１５、１６）と接続し、前記ブリッジまたはブリッジ群（２０）は、前記支持部品（４５）および前記頭部（１７）上に及ぼされる対抗する力の閾値を超えると破壊することができ、この閾値は、前記プランジャ（３）を変位させるのに必要な力より大きいが、使用者が前記支持部品（４５）および前記頭部（１７）上に手で及ぼす対抗する力よりも小さいことを特徴とする請求項１から４のいずれかに記載のシリンジ。
【請求項６】
前記保護ケーシング（５）は、それによってこのケーシング（５）内に配置されたシリンジ本体（２）を横方向に楔結することが可能である楔結手段（３０、３１）を有し、これらの楔結手段（３０、３１）は、異なる外径のシリンジ本体（２）を楔結することができるように半径方向に移動可能であることを特徴とする請求項５に記載のシリンジ。
【請求項７】
前記楔結手段（３０、３１）は、前記保護ケーシング（５）の末端部に配置されていることを特徴とする請求項６に記載のシリンジ。
【請求項８】
前記保護ケーシング（５）は、それぞれが半径方向に移動可能なタブ（３０）を作成している、直径方向に対向する少なくとも２つのＵ字型スリットを有し、これらのタブ（３０）のそれぞれの内側面は、前記保護ケーシング（５）に接続されていないタブ（３０）の端部のほうに、このケーシング（５）の内側に向かって突き出したボス（３１）を有することを特徴とする請求項６または７に記載のシリンジ。
【請求項９】
各ホルダ部品（４７）上に設けられた前記接続体（５６）は、前記リング（６）の半径方向にある程度の弾性的な可撓性を有する材料で作られており、この可撓性は、前記ホルダ部品（４７）のアーム（５５）を複数の別個の半径方向位置に配置することを可能にするようなものであることを特徴とする請求項１から８のいずれかに記載のシリンジ。
【請求項１０】
各接続体（５６）は、Ｌ字型の形状を有する、すなわち、前記アーム（５５）に接続され、前記リング（６）の軸とほぼ垂直に配置された中間部品と、前記リング（６）と接続され、このリング（６）の軸とほぼ平行に配置された底部部品とを備えることを特徴とする請求項１から９のいずれかに記載のシリンジ。
【請求項１１】
前記リング（６）は、直径方向に対向する２つの支持突起（４５）を備え、
前記ホルダ部品（４７）の一方の接続体（５６）は、これらの支持突起（４５）の一方の近傍で前記リング（６）と接続され、他方のホルダ部品（４７）の接続体（５６）は、これらの突起（４５）の他方の近傍で前記リング（６）と接続され、
これらの接続体（５６）の少なくとも１つの部品が、前記保護ケーシング（５）の壁の上に突き出すような形状にされていることを特徴とする請求項５から１０のいずれかに記載のシリンジ。
【請求項１２】
前記シリンジ本体（２）は、前記シリンジ本体を前記リング（６）に接合するための近位のフランジ（１２）を有し、
前記リング（６）は、それによって前記リングをこのフランジと接合することができる接合手段（４８）を備え、これらの接合手段は、周縁ゾーンの領域内に実質上環を形成するようにして構成された曲線状の形状の２つの接合部品（４８）によって形成され、これらの接合部品（４８）は、周縁ゾーンの領域内で前記リング（６）と接続され、ある程度の弾性的な可撓性を有する材料で作られており、これらの接合部品（４８）の周縁ゾーンは、互いから前記フランジ（１２）の外径よりも大きい距離に配置され、一方、これらの接合部品（４８）の中間ゾーンは、これらの接合部品（４８）が変形していない状態で、互いから前記フランジ（１２）の外径よりも小さい距離に配置され、これらの中間ゾーンは、それを介して前記シリンジ本体（２）が前記接合部品（４８）を通って係合されている前記リング（６）の側に、この係合の瞬間にこれらの中間ゾーンの半径方向隙間を許すような形状にされたベベルを有することを特徴とする請求項１から１１のいずれかに記載のシリンジ。
【請求項１３】
前記リング（６）は、前記ホルダ部品（４７）に対して基部側に配置された２つの接合部品（４８）を備え、
前記ホルダ部品（４７）の少なくとも一方が、特にその接続体（５６）の領域内に可撓性の構造を有し、一方におけるそのアーム（５５）と、他方における前記接合部品（４８）との間を分離している距離が前記フランジ（１２）の厚さよりも小さいようにして配置されていることを特徴とする請求項１２に記載のシリンジ。
【請求項１４】
（ａ）基準軸上の細長い本体（２）と、その遠位の端部で前記本体の内部と連通している、軸方向に配置された針（１１）と、前記本体の内部で末端側の当接位置まで変位可能なプランジャ（３）と、基部側の支持部品（１７）を備える、前記本体（２）の基端部に出現するプランジャロッド（４）とを備える、シリンジタイプのサブアセンブリ（１）と、
（ｂ）本体（２）の周囲に取り付けられた保護ケーシング（５）であって、２つの位置、すなわち前記針（１１）が露出された露出位置（図２参照）と前記針（１１）が前記保護ケーシング（５）の内部に完全に入っている安全位置（図１０参照）との間で本体（２）に対して軸方向に変位可能な保護ケーシング（５）を備える安全用サブアセンブリとを備え、それとともに、
（ｉ）前記保護ケーシング（５）は、前記保護ケーシングの露出位置で前記本体（２）の基端部を越える基部（２６）まで連続され、前記プランジャロッド（４）は、前記基部（２６）の末端から出現し、
（ｉｉ）駆動リング（６）は、前記本体（２）の基端部から半径方向に延びて、前記本体と一体化されており、前記本体（２）のいずれかの側に外側支持部分（４５）を備え、
（ｉｉｉ）前記駆動リング（６）と前記保護ケーシング（５）の基部（２６）との間の軸方向滑動手段であって、前記基端部が、前記リング（６）を通して変形自由に取り付けられている手段（４１）と、
（ｉｖ）前記プランジャ（３）がその末端の当接位置にあるとき、前記基部の支持部品（１７）上の軸方向押圧を用いて、前記プランジャロッド（４）をそれ自体の上で軸方向に引き込み、それによって、前記基部の支持部品（１７）が、前記保護ケーシング（５）の基端部と当接し、その後、前記保護ケーシングを再び押圧することによって、その安全位置のほうへ変位させるための手段（２０）とを具えることを特徴とする請求項１から１３のいずれかに記載のシリンジ。
【発明の詳細な説明】
【技術分野】
【０００１】
本発明は、シリンジまたはそれに類似する装置に関する。
【背景技術】
【０００２】
シリンジの中には、基端部でリングと接続するように意図されたシリンジ本体を備えているものもある。
【０００３】
しかし、既存のリングは、直径が異なる種々のシリンジ本体を受け入れることができないという主な欠点を有する。そうではあるが、様々な直径のシリンジ本体は、必要に応じて使用されており、そのため、これらの既存のシリンジをこのような特定の必要性に適応させることはできない。
【０００４】
これらの既存のシリンジはまた、それらの比較的複雑な構造に関連し、またそれらの構成要素の寸法公差、またはこれらの構成要素が互いに接合することに伴う寸法公差の結果として生じる生産上の問題、または前記各構成要素間に遊びが存在することに伴う様々な欠点を有する。
【発明の開示】
【発明が解決しようとする課題】
【０００５】
本発明は、これらの欠点のすべてに対処することを目的とする。
【０００６】
したがって、本発明の主な目的は、異なる直径のシリンジ本体を受けることができるシリンジを使用可能にすることである。それによって、このシリンジは、標準化された構成要素を備えることができ、必要に応じて異なるシリンジ本体を受けることができる。
【０００７】
本発明の別の目的は、シリンジの構造またはアセンブリを複雑にし過ぎることなく、またはこの構造およびこのアセンブリを既存のシリンジと比べて単純化さえもすることによって、上記の目的を達成することである。
【課題を解決するための手段】
【０００８】
本シリンジは、シリンジ本体と、シリンジ本体が基端部に接続されたリングとを備える。
【０００９】
本発明によると、
前記リングは、たとえば直径方向に対向し、前記シリンジ本体を受けて、その間で保持するように意図された、少なくとも２つのホルダ部品を有し、各ホルダ部品は、フォーク型の形状を有する、すなわち、１対のアームと、これらのアームを前記リングと接続する接続体とを有し、各ホルダ部品の前記アームは、前記シリンジ本体を部分的に閉鎖することができるように形成され、
前記アームは、異なる外径のシリンジ本体をそれらの間で受けて、しっかりと把持することができるように弾性変形することができるような、ある程度の弾性的な可撓性を有する材料で作られている。
【００１０】
したがって、本発明によるシリンジは、必要に応じて異なる外径のシリンジ本体を受けることが可能な標準化されたリングを備える。
【００１１】
前記シリンジは、直径方向に対向する２つのホルダ部品を特に備えることができる。
【００１２】
ホルダ部品のアームはそれぞれ、小さめの直径のシリンジ本体の固定、そして必要に応じてそのシリンジのセンタリングを確実にするために、半径方向内向きに突き出した少なくとも１つのボスを備えることができる。
【００１３】
ベベルが、それを介してシリンジ本体がこのリングを通って導入されることを意図された、前記リングの側面上の前記アーム内に設けられることが可能である。
【００１４】
したがって、このベベルは、シリンジ本体を前記アーム間に係合することをより容易にする。
【００１５】
前記シリンジは、特に、
前記シリンジ本体の周囲に係合された保護ケーシングを備え、このケーシングおよびこの本体は、前記シリンジの針が露出された前記シリンジの使用位置と、使用後、刺傷または切傷などから想定される使用者の感染のいかなる危険性も防止するため、前記ケーシングによってこの針が包囲された安全位置との間を互いに移動可能であり、前記保護ケーシングが少なくとも１つの長手方向スロットまたは切欠を備え、
前記リングは、前記シリンジ本体および前記保護ケーシングを互いに前記使用位置と安全位置の間に配置する手段を形成し、この目的のために、前記リングは、前記ホルダ部品と、少なくとも１つの支持部品とを備え、前記スロットまたは切欠を通って係合され、前記保護ケーシングの上に突き出した、使用者の手の人差指と中指を支持する働きをする、前記保護ケーシングの内部に収容された部品を有し、
前記シリンジのプランジャロッドは、２つの入れ子式部品を備え、そのうちの一方、末端側の部品が、前記シリンジのプランジャに接続され、そのうちの他方、基部側の部品が、使用者の親指のための支持部品を形成している頭部を有し、
少なくとも１つの破壊可能なブリッジは、前記プランジャロッドの前記２つの入れ子式部品を接続し、前記ブリッジまたはブリッジ群は、前記支持部品および前記頭部上に及ぼされる対抗する力の閾値を超えると破壊することができ、この閾値は、プランジャを変位させるのに必要な力より大きいが、使用者が前記支持部品および前記頭部上に手で及ぼす対抗する力よりも小さいものが好ましい。
【００１６】
このようにして、前記リングは、前記本体および前記ケーシングを前記使用位置と安全位置の間に互いに対して配置する手段を形成している。前記本体および前記ケーシングを安全位置に動かすことを可能にする動作は、シリンジをその使用中に保持するために用いるのと同じく手による把持によって実現される。そのため、この動作は、この使用の延長として実現することができる。
【００１７】
破壊可能なブリッジまたはブリッジ群の破壊は、前記シリンジ本体および前記保護ケーシングの突然の相対運動を生じさせ、それによって、このシリンジ本体およびこのケーシングは、この突然の運動の最後に安全位置へ動かされる。この運動は、前記本体と前記ケーシングの相対変位に対していかなる不注意による制御を制限または禁止さえもする。
【００１８】
前記保護ケーシングは、有利には、それによってこのケーシング内に配置されたシリンジ本体を横方向に楔結することが可能である楔結手段を有し、これらの楔結手段は、異なる外径のシリンジ本体を楔結することができるように半径方向に移動可能である。
【００１９】
これらの楔結手段は、特に、シリンジ本体の末端部に横方向に楔結するために、前記保護ケーシングの末端側に配置されている。
【００２０】
これらの楔結手段の好ましい実施形態によると、前記保護ケーシングは、それぞれが半径方向に移動可能なタブを作成しており、少なくとも２つの直径方向に対向するＵ字型スリットを有し、これらのタブのそれぞれの内側面が、前記保護ケーシングに接続されていないタブの端部のほうに、このケーシングの内側に向かって突き出したボスを有する。
【００２１】
前記シリンジ本体は、前記保護ケーシング内に配置されたとき、これらのボスと当接する。本発明によるシリンジとともに使用することができる大きめの外径のシリンジ本体の場合、前記タブは、前記ボスの十分な隙間を許すように半径方向外側に変形する。
【００２２】
各ホルダ部品上に設けられた接続体は、有利には、前記リングの半径方向にある程度の弾性的な可撓性を有する材料で作られており、この可撓性は、前記ホルダ部品のアームを複数の別個の半径方向位置に配置することを可能にするようなものである。
【００２３】
したがって、この可撓性は、前記リングが受けることができるシリンジ本体の半径の範囲を拡大し、所定直径のシリンジ本体の完全な保持および完全なセンタリングを確実にすることに貢献する。
【００２４】
各接続体は、有利には、Ｌ字型の形状を有する、すなわち、前記アームに接続され、前記リングの軸とほぼ垂直に配置された中間部品と、前記リングと接続され、このリングの軸とほぼ平行に配置された底部部品を備える。
【００２５】
特に、前記リングは、上記に述べたような直径方向に対向する２つの支持部品を備え、
前記ホルダ部品の一方の接続体は、これらの支持突起の一方の近傍で前記リングと接続され、他方のホルダ部品の接続体が、これらの突起の他方の近傍で前記リングと接続され、
これらの接続体の少なくとも１つの部品は、前記保護ケーシングの壁の上に突き出すような形状にされているものが好ましい。
【００２６】
このようにして、これらの接続体の存在によって、使用者の指を保護ケーシングの壁から離して、これらの指が前記突然の運動の際に保護ケーシングと擦れ合って、そのためこの運動を妨げることを防止することができる。
【００２７】
特に、シリンジ本体は、前記シリンジ本体を前記リングに接合するための基部のフランジを有するものが好ましい。
【００２８】
また、前記リングは、それによって前記リングをこのフランジと接合することができる接合手段を備え、これらの接合手段は、周縁ゾーンの領域内に実質上環を形成するようにして構成された曲線状の形状の２つの接合部品によって形成され、これらの接合部品は、周縁ゾーンの領域内で前記リングと接続され、ある程度の弾性的な可撓性を有する材料で作られており、これらの接合部品の周縁ゾーンは、互いから前記フランジの外直径よりも大きい距離に配置され、一方、これらの接合部品の中間ゾーンが、これらの接合部品が変形していない状態で、お互いに前記フランジの外径よりも小さい距離に配置され、これらの中間ゾーンは、それを介して前記シリンジ本体が前記接合部品を通って係合されている前記リングの側に、この係合の瞬間にこれらの中間ゾーンの半径方向隙間を許すような形状にされた傾斜を有する。
【００２９】
これらの接合部品間のフランジの係合によって、前記中間ゾーンの領域で接合部品の弾性変形が生じ、傾斜によって半径方向の隙間が可能にされる。一旦前記フランジがこれらの接合部品上に係合されると、これらの接合部品を構成する材料の弾性的な回復がシリンジ本体のロックを確実にする。
【００３０】
前記リングは、前記接合部品に対して末端側に配置された２つのホルダ部品を備え、
前記ホルダ部品の少なくとも一方が、特にその接続体の領域内に可撓性の構造を有し、一方でそのアーム間を、他方で前記接合部品間を分離している距離が前記フランジの厚さよりも小さいようにして配置されているものが好ましい。
【００３１】
前記ホルダ部品または複数のホルダ部品は、前記フランジがホルダ部品と前記接合部品の間に係合されたとき、このようにして変形し、このフランジをこれらの結合部品に接して平らに保持することを可能にする。シリンジ本体の完全な軸方向固定がこのようにして得られる。
【００３２】
このことを明確に理解することを確実にするために、限定されない例として本発明が関連するシリンジの好ましい実施形態を示す添付の概略図面を参照にして、本発明を以下で再び説明する。
【発明を実施するための最良の形態】
【００３３】
図１および２は、シリンジ本体２と、プランジャ３と、プランジャロッド４と、保護ケーシング５と、ケーシング５に作用するためのリング６とを備える、安全性が改良されたシリンジ１を示している。
【００３４】
シリンジ本体２は、従来型のタイプのものであり、特にガラス製である。シリンジ本体２は、注射針１１を備える末端片１０と、以下で説明するように、本体２をリング６と接合することを可能にする半径方向外向きに突き出した基部フランジ１２とを備える。針１１は、このような末端片１０とは別の手段で固定されることが可能である。
【００３５】
プランジャ３は、従来型のタイプのものである。
【００３６】
プランジャロッド４は、２つの入れ子式部品１５、１６を備える。その末端側部品１５は、十字型の断面を有し、その基部側部品１６は、滑動によって部品１５を収容することができる管状の形状をしている。部品１５は、十字型断面以外の断面であってもよく、また、部品１５が管状の形状で、部品１６が十字型の断面を有するものであってもよい。
【００３７】
部品１６は、使用者の親指のための支持頭部１７を備える。
【００３８】
図３に、より具体的に示すように、部品１５の４つの翼部のそれぞれは、同素材からなる少なくとも１つのブリッジ２０を介して部品１６と接続され、それによってこれらの部品１５および１６が通常、図１および２に示すように延長位置に維持されている。
【００３９】
これらのブリッジ２０は十分に硬く、本体２内のプランジャ３を滑動させるべくロッド４を作用させる上で必要な力に耐えることができるが、シリンジを動かすための従来通りの操作に沿って、使用者の人差指および中指によってリング６に、および使用者の親指によって頭部１７に及ぼされる対抗する力の閾値を超えると破壊することがある。一旦これらのブリッジ２０が破壊されると、部品１５は、部品１６内を図１０に示す位置まで滑動することができる。
【００４０】
基端部で、部品１５はブリッジ２０の上に続く。この連続部２１は、部品１６の内径よりもわずかに小さい外径を有する。この連続部２１によって、ロッド４を長手方向に補強して、ブリッジ２０が壊れる前に、このロッドが横方向に弱いゾーンを有しないことを確実にすることが可能になる。
【００４１】
頭部１７は、円形の形状を有し、頭部１７の円筒形部分１７ａの境界を画定する周縁段差２３と、半径方向外向きに突き出したショルダ２４とを備える。図１１に示すように、この円筒形部分１７ａの直径は、この円筒形部分１７ａが、注射終了時に、ケーシング５の基部２６内に正確に固定されることによって係合可能とされている。
【００４２】
ケーシング５は、本体２の外径よりも大きい内径を有する末端部２５と、滑動によってリング６を受ける基部２６とを有する。このケーシング５全体は、たとえば一般的なプラスチックなどの、ある程度の弾性的な可撓性を有する合成材料によって一体的に成形されている。
【００４３】
図１および４に示すように、部分２５は、直径方向に対向する２つのＵ字型スロットを有する。Ｕ字型スロットのそれぞれはタブ３０を作成し、このタブ３０は、その底部で弾性変形によって半径方向に移動可能である。これらのタブのそれぞれの内側面は、ケーシング５に接続されていないタブ３０の端部に、このケーシングの内側に向かって突き出したボス３１を有する。
【００４４】
ケーシングの部分２６は、直径方向に対向する２つの平面２６ａを有する（図６参照）。平面の領域内に、ケーシング５の基端部で外向きに開いた２つの切欠３２がある。これらの切欠３２は、滑動によって、リング６の部品５６を受けるように意図されている。これらを以下に説明する。
【００４５】
この部分２６は、その端縁部に２つのスナップフィット歯３３を追加的に有する。これらは、リング６がケーシング５上で確実に保持されるようにすることができる。これらも以下に説明する。
【００４６】
図７を参照すると、リング６が、このリングの軸に関して対称的に配置された２つの弓形開口部３５を備えることがわかる。図６に見られるように、これらの開口部３５は、前記切欠３２の間に延びているケーシング５の部品を受けるように意図されている。
【００４７】
これらの開口部３５の長手方向端部の後ろに、楔結ショルダ４０（ｗｅｄｄｉｎｇ  ｓｈｏｕｌｄｅｒ）が設置され、それによって、ケーシング５の回転に対してリング６を楔結することができる。各開口部３５は、スリット４１の形態で各ショルダ４０の上に続く。
【００４８】
リング６は、半径方向外向きに突き出した、直径方向に対向する２つの支持翼部４５と、基部側スカート４６と、２つのホルダ部品４７と、２つの接合部品４８とを有する。このリング６全体は、たとえば一般的なプラスチックなどの、ある程度の弾性的な可撓性を有する合成材料によって一体成形されている。
【００４９】
翼部４５は、使用者の人差指および中指（図５で破線の円によって概略的に示されている）のための支持表面を形成するような寸法にされており、リング６の中間部品５０によって互いに接続されている。
【００５０】
スカート４６は、図１０および１１に示すように、注射の最後に頭部１７をしっかりと受けることができる座部を画定している。スカート４６は、図１１に見れば特にわかるように、直径方向に対向する２つの開口５１および基部側にベベル５２を有する。
【００５１】
図１０および１１に見られるように、リング６は、ケーシング５の基端と歯３３の上の点で係合して、歯をケーシング５の部分２６上に最終的にロックするように意図されている。その部品に対するベベル５２は、使用後、ショルダ２４が、開口５１の基部側の縁部の境界を画定するリング６のゾーン上に配置されたリブ５３の背部にスナップ係合するまで、壁４６によって画定された座部内への頭部１７の係合を可能にするように意図されている。このスナップ係合は、ロッド４が図１０および１１に示す位置に確実にロックされるようにする。頭部１７の部分１７ａは、歯３３を、リング６のロックを確実にする外側の半径方向位置に確実に維持する。
【００５２】
ホルダ部品４７は、直径方向に対向しており、それぞれフォーク状である。すなわち、ホルダ部品４７のそれぞれは、１対のアーム５５と、これらのアーム５５をリング６に接続する接続体５６とを備える。
【００５３】
アーム５５は、シリンジ本体２を部分的に閉鎖することができるように、ここに示した例では特に丸みを帯びた形状にされている。アームは、その近位の側部に形成された傾斜５７を有する。この手段によって、シリンジ本体２が、リング６を通って導入されるように意図されている。
【００５４】
各アーム５５はまた、その自由端に、半径方向内向きに突き出したボス５８を備える。アーム５５は、複数のこのようなボスを備えることができる。
【００５５】
各ホルダ部品４７の接続体５６は、Ｌ字型の形状を有する。すなわち、接続体５６は、リング６の残りに接続され、このリング６の軸とほぼ平行に配置された底部部品と、前記アーム５５に接続され、このリング６の軸とほぼ垂直に配置された中間部品とを備える。
【００５６】
底部部品は、翼部４５が突き出しているのと同じ直径上に配置されている。
【００５７】
図５に示すように、接続体５６は、リング６がケーシング５上に固定された後、前記中間部品が滑動によって切欠３２内に係合され、前記底部部品が、部分２６の平面２６ａによってケーシング５の壁に対して突き出すようにして構成されている。
【００５８】
図８および９を参照することによって分かるように、各アーム５５は、それらの間でシリンジ本体２を受けて、しっかりと把持するように意図されている。また、各アーム５５は、異なる外直径のシリンジ本体２、特に図８に示す「０．５ｍｌ」と称されるシリンジ本体２、および図９に示す「１ｍｌ」と称されるシリンジ本体２をそれらの間で受けて、しっかりと把持することができるように弾性変形することができる。
【００５９】
ベベル５７は、シリンジ本体２をこれらのアーム間に係合することをより容易にし、ボス５８は小さい直径のシリンジ本体２の固定およびセンタリングを確実にする。
【００６０】
接続体５６がリング６の半径方向に比較的可撓性を有することによって、アーム５５をいくつかの別個の半径方向位置に配置することが可能になり、したがって、広範囲のシリンジ本体直径にわたって、シリンジ本体２を良好に締結することが確実になる。
【００６１】
図４から推測されるように、これらの部品におけるタブ３０およびボス３１によって、異なる外直径のシリンジ本体２を横方向に楔結することが可能になり、ボス３１の十分な隙間を可能にするために、タブ３０は必要に応じて外向きに変形する。
【００６２】
また、接続体５６の前記底部部品の存在によって、図５に示すように、使用者の指をケーシング５の壁から離すことが可能になり、それによって、ロッキングシステムの作動運動を遅延させる、またはこのロッキングを危うくさえもする摩擦のいかなる危険性も除去される。
【００６３】
２つの接合部品４８が、一方ではリング６の中央開口によって、他方では開口部３５によって境界を画定されている。これらは、半径方向に弾性変形可能であるような厚さを有し、この変形可能性は、スリット４１のおかげで顕著なものにされる。
【００６４】
これらの部品４８は、接続体５６の底部部品の近傍で互いから最も遠い周縁ゾーンでリング６と接続された、たとえば楕円形状の環を構成する。これらの周縁ゾーンは、互いから、本体２のフランジ１２の外直径よりも大きい距離に配置されるが、互いに最も近いこのリングの中間ゾーンは、このフランジ１２の外径よりも小さい距離に、リングの変形しないようにして互いに配置される。
【００６５】
図１１は、ケーシング５の近位の部品２６が、この近位の部品２６の壁と前記環の中間ゾーンの間に空間を有するような直径を有し、この空間によってこれらの中間ゾーンの半径方向の変形が可能にされることを示している。
【００６６】
また、ベベル６０が、これらの同じ中間ゾーンに配置されている。
【００６７】
図６、８、９および１１から推測されるように、フランジ１２は、前記楕円環を通って、部品４８の点と係合するように意図されている。これらの部品４８のベベル６０は、前記中間ゾーンの隙間を許して、フランジ１２の通過を可能にする。これらの部品４８がその初期形状に弾性的に戻ることによって、フランジ１２をこれらの部品４８上にロックすることが可能になる。
【００６８】
別の実施形態では、接合部品４８は、最も変形可能な中間ゾーンで、１つまたは複数のボスとともにほぼ円形の環を構成することができる。
【００６９】
そのとき、本体２は、いかなる半径方向の遊びもなく、極めて制限された軸方向の遊びで、リング６と完全に接続される。
【００７０】
実際は、図２と１０を比較することによって理解されるように、使用者が、前記の通例の操作に沿って、翼部４５および頭部１７にそれぞれ、彼の中指および人差指を用いて、また、親指を用いて対抗する圧力を及ぼすことによって注射を行う。
【００７１】
注射の終わりに、プランジャ３がシリンジ本体２の底部と当接する、または頭部１７がケーシング５と当接する。そのとき、前記対抗する力が、より強く作用して、ブリッジ２０が破壊することがある。この結果、リング６の、およびしたがってシリンジ本体２の頭部１７に対する突然の相対変位が生じ、リング６および頭部１７が図１０に示す安全な位置に到達する。この位置で、針１１が、ケーシング５の内側に完全に引き込まれる。
【００７２】
この突然の運動は、注射のためにシリンジ１を使用する操作の続きとして実現される。この運動の突然の性質によって、接続体５６の前記底部部品があることによって生じる、使用者の指のケーシング５からの間隔と連係して、すべての場合で安全位置に実際に到達することを確実にする。
【００７３】
頭部１７は、ショルダ２４をリブ５３の背部に係合することを用いて、この突然の運動の最後に自動的にロックされる。図１１に示すように、頭部１７の部分１７ａのケーシング５の基端における係合が解除され、または少なくともロッド４をロック解除しようとする試みが極めて困難にされる。
【００７４】
上記のことから明らかになるように、本発明は、異なる直径のシリンジ本体を受けることが可能であるという主な利点を有するシリンジを使用可能にする。それによって、このシリンジは、標準化された構成部品を備えることができ、必要に応じて異なるシリンジ本体を受けることができる。
【００７５】
言うまでもなく、本発明は、上記で一例として説明した実施形態に限定されず、添付の特許請求の範囲によってカバーされたすべての代替的な実施形態を包含するものである。すなわち、本発明は、医療に用いられる装置に関し、
（ａ）基準軸上の細長い本体と、その末端部で前記本体の内部と連通している、軸方向に配置された針と、前記本体の内部で末端の当接位置まで変位可能なプランジャと、基部側の支持部品を備える、前記本体の基端部に出現するプランジャロッドとを備える、シリンジタイプのサブアセンブリと、
（ｂ）本体の周囲に取り付けられ、２つの位置、すなわち針が露出された露出位置と針が前記保護ケーシングの内部に完全に入っている安全位置との間で本体に対して軸方向に変位可能な保護ケーシングを備える安全用サブアセンブリとを備えるものである。
【００７６】
本発明によると、それとともに、
（ｉ）前記保護ケーシングが、前記保護ケーシングの露出位置で本体の基端部の先の基部まで連続され、プランジャロッドが、前記基部の基端部から出現しており、
（ｉｉ）駆動リングが、本体の基端部から半径方向に延びて、本体と一体化されており、本体のいずれかの側に外側支持部分を備え、
（ｉｉｉ）前記駆動リングと前記保護ケーシングの基端部との間の軸方向滑動手段であって、前記基端部が、リングを通して変形自由に取り付けられている手段と、
（ｉｖ）前記プランジャがその末端側の当接位置にあるとき、基部側の支持部品上の軸方向押圧を用いて、前記プランジャロッドをそれ自体の上で軸方向に引き込み、それによって、前記基部側の支持部品が、前記保護ケーシングの基端部と当接し、その後、保護ケーシングを再び押圧することによって、その安全位置のほうへ変位させるための手段を特徴とする、医療用デバイスに関する。
【図面の簡単な説明】
【００７７】
【図１】このシリンジの中に入った製品の注射する前を示すシリンジの透視図である。
【図２】シリンジの長手方向側部断面図である。
【図３】シリンジが備えるプランジャロッドの一部分の拡大図である。
【図４】シリンジが備える保護ケーシングの長手方向側部断面拡大詳細図である。
【図５】このケーシングおよびシリンジが備える駆動リングの側面拡大図である。
【図６】シリンジの基端からの、このケーシングおよびこのリングの軸面図である。
【図７】この同じリングの斜視図である。
【図８】シリンジの遠端部からの、このリングおよびそれに接合されたシリンジ本体の軸面図である。
【図９】図８に示したシリンジ本体よりも大きな直径のシリンジ本体をリング内に配置した後の図８と同様の図である。
【図１０】一旦注射が行われた後の図２と同様のシリンジの図である。
【図１１】一旦注射が行われた後のシリンジの基端部の拡大断面図である。
【図１】
2004524907.tif 000003
【図２】
2004524907.tif 000004
【図３】
2004524907.tif 000005
【図４】
2004524907.tif 000006
【図５】
2004524907.tif 000007
【図６】
2004524907.tif 000008
【図７】
2004524907.tif 000009
【図８】
2004524907.tif 000010
【図９】
2004524907.tif 000011
【図１０】
2004524907.tif 000012
【図１１】
2004524907.tif 000013
【国際公開パンフレット】
2004524907.tif 000014
2004524907.tif 000015
2004524907.tif 000016
2004524907.tif 000017
2004524907.tif 000018
2004524907.tif 000019
2004524907.tif 000020
2004524907.tif 000021
2004524907.tif 000022
2004524907.tif 000023
2004524907.tif 000024
2004524907.tif 000025
2004524907.tif 000026
2004524907.tif 000027
2004524907.tif 000028
2004524907.tif 000029
2004524907.tif 000030
2004524907.tif 000031
2004524907.tif 000032
2004524907.tif 000033
2004524907.tif 000034
2004524907.tif 000035
2004524907.tif 000036
2004524907.tif 000037
【国際調査報告】
2004524907.tif 000038
2004524907.tif 000039
2004524907.tif 000040
2004524907.tif 000041
2004524907.tif 000042
2004524907.tif 000043